(57)【特許請求の範囲】
【請求項１】
光が被検体に照射されることにより発生する光音響波を受信することにより得られた信号に基づいて被検体内部の情報を取得する光音響装置であって、
前記被検体の表面の色に関する情報を取得する色情報取得手段と、
前記被検体の表面の色に関する情報に基づいて、前記被検体の表面の色に対応する前記被検体の表面の光学係数に関する情報を取得する係数情報取得手段と、
前記信号と、前記光学係数に関する情報と、に基づいて前記被検体内部の情報を取得する被検体情報取得手段と、
を有することを特徴とする光音響装置。
【請求項２】
前記被検体の光学画像を取得する撮像手段を更に有し、
前記色情報取得手段は、前記被検体の光学画像に基づいて、前記被検体の表面の色に関する情報を取得する
ことを特徴とする請求項１に記載の光音響装置。
【請求項３】
前記色情報取得手段は、
入力手段を介して入力された、表示手段に表示された前記被検体の光学画像上の座標に関する情報を取得し、
前記座標に関する情報に基づいて、前記座標における前記被検体の光学画像の色に関する情報を、前記被検体の表面の色に関する情報として取得する
ことを特徴とする請求項２に記載の光音響装置。
【請求項４】
前記色情報取得手段は、入力手段を介して入力された色に基づいて、前記被検体の表面の色に関する情報を取得する
ことを特徴とする請求項１に記載の光音響装置。
【請求項５】
前記色情報取得手段は、表示手段に表示された複数の色を示す複数のアイコンから、入力手段を介して選択されたアイコンに対応する色に関する情報を、前記被検体の表面の色に関する情報として取得する
ことを特徴とする請求項１から３のいずれか１項に記載の光音響装置。
【請求項６】
光源と、
前記光源からの光が前記被検体に照射されることにより発生する光音響波を受信し、前記信号を出力する変換素子と、
を有することを特徴とする請求項１から５のいずれか１項に記載の光音響装置。  
【請求項７】
前記係数情報取得手段は、色に関する情報と光学係数に関する情報との関係テーブルまたは関係式に基づいて、前記色情報取得手段により取得された前記被検体の表面の色に関する情報に対応する、前記被検体の表面の光学係数に関する情報を取得する
ことを特徴とする請求項１から６のいずれか１項に記載の光音響装置。
【請求項８】
前記被検体情報取得手段は、
前記光学係数に関する情報を用いて、前記被検体の表面から所定の深さ以下の領域の光量分布を取得し、
前記所定の深さまでの領域の光量分布を用いて、前記被検体の表面から所定の深さよりも深い領域の光量分布を取得する
ことを特徴とする請求項１から７のいずれか１項に記載の光音響装置。
【請求項９】
前記所定の深さは１０００μｍ以下である
ことを特徴とする請求項８に記載の光音響装置。
【請求項１０】
前記所定の深さは２００μｍ以下である
ことを特徴とする請求項８に記載の光音響装置。
【請求項１１】
前記光学係数に関する情報は、光吸収係数、光の減衰率、および光量分布のいずれかであることを特徴とする請求項１から１０のいずれか１項に記載の光音響装置。
【請求項１２】
前記係数情報取得手段は、前記被検体の光学係数に関する情報として前記被検体の光減衰率を取得し、
前記被検体情報取得手段は、
前記被検体の表面の光学係数である光減衰率に基づいて、前記被検体内の光量分布を取得し、
前記信号と前記被検体内の光量分布とに基づいて、前記被検体内部の情報を取得する
ことを特徴とする請求項１から１０のいずれか１項に記載の光音響装置。
【請求項１３】
前記被検体情報取得手段は、
前記信号に基づいて前記被検体内の初期音圧分布を取得し、
前記被検体内の前記初期音圧分布と、前記被検体内の前記光量分布と、に基づいて、前記被検体内部の情報を取得する
ことを特徴とする請求項１２に記載の光音響装置。
【請求項１４】
前記被検体情報取得手段は、前記被検体内部の情報として前記被検体内の光吸収係数分布を取得する
ことを特徴とする請求項１から１３のいずれか１項に記載の光音響装置。
【請求項１５】
前記被検体内部の情報に関する情報を表示するための表示手段を更に有する
ことを特徴とする請求項１から１４のいずれか１項に記載の光音響装置。
【請求項１６】
被検体の表面の色に関する情報を取得するステップと、
前記被検体の表面の色に関する情報に基づいて、前記被検体の表面の色に対応する前記被検体の表面の光学係数に関する情報を取得するステップと、
前記被検体に光が照射されることにより発生する光音響波を受信して得られる信号を取得するステップと、
前記信号と、前記光学係数に関する情報と、に基づいて前記被検体内部の情報を取得すると、
を有することを特徴とする情報処理方法。
【請求項１７】
前記光学係数に関する情報が光の減衰率であることを特徴とする請求項１６に記載の情報処理方法。
【請求項１８】
請求項１６または１７に記載の情報処理方法をコンピュータに実行させるためのプログラム。
【発明の詳細な説明】
【技術分野】
【０００１】
本発明は、光を吸収して発生する光音響波を利用した光音響装置に関するものである。
【背景技術】
【０００２】
光を用いたイメージング技術の一つとして、光音響イメージング技術がある。光音響イメージングでは、まず、光源から発生したパルス光が被検体に照射される。照射光は被検体内で伝播・拡散し、被検体内の複数の箇所でこの光のエネルギーを吸収して光音響波が発生する。この光音響波をトランスデューサで受信し、処理装置内で受信信号を解析処理することで、被検体内部の光学特性値に関する情報が画像データとして取得される。これにより、被検体内の光学特性値分布が可視化される。
【０００３】
被検体内の光吸収体から発生する光音響波の発生音圧（以下、初期音圧とも呼ぶ）Ｐ０は次式で表すことができる。
Ｐ０＝Γ・μａ・Φ  ・・・（１）
ここで、Γはグリューナイセン（Ｇｒｕｎｅｉｓｅｎ）係数であり、体積膨張係数βと音速ｃの二乗との積を定圧比熱Ｃｐで除したものである。Φはある位置（局所的な領域）での光量（吸収体に到達した光量であり、光フルエンスとも言う）である。
【０００４】
初期音圧Ｐ０は、光音響波を受信した探触子から出力される受信信号（ＰＡ信号）を用いて求めることができる。
【０００５】
グリューナイセン係数は組織が決まれば、ほぼ一定の値をとることが知られているので、ＰＡ信号の時間的変化を複数の個所で測定及び解析することにより光吸収係数μａと光量Φの積、すなわち、光エネルギー吸収密度を得ることができる。
【先行技術文献】
【非特許文献】
【０００６】
【非特許文献１】Ｂｉｎ  Ｌｕｏ  ａｎｄ  Ｓａｉｌｉｎｇ  Ｈｅ，ＯｐｔｉｃｓＥｘｐｒｅｓｓ，Ｖｏｌ．１５，Ｉｓｓｕｅ  １０，ｐｐ．５９０５−５９１８（２００７）
【発明の概要】
【発明が解決しようとする課題】
【０００７】
式（１）から理解されるように、被検体内の光吸収係数μａ等の被検体情報を求めるためには、被検体内の各位置に到達した光の光量Φを求め、光エネルギー吸収密度を補正する必要がある。
【０００８】
例えば、被検体の厚さに対して大きな領域に光を照射し、光が被検体内を平面波のように伝播すると仮定した場合、光量Φは次式であらわすことができる。
Φ＝Φ０・ｅｘｐ（−μｅｆｆ・ｄ）  ・・・（２）
ここで、Φ０は被検体への入射光量、μｅｆｆは被検体の有効減衰係数、ｄは光の入射位置から対象位置までの距離、つまり光吸収体の位置する深さである。
【０００９】
また、非特許文献１に示すように、被検体の光吸収係数μａａｖｅおよび等価散乱係数μｓ’に基づいた光輸送方程式や光拡散方程式を数値計算手法により計算することで、光量φを求めることもできる。すなわち、光吸収係数等の被検体情報を求めるためには、被検体の光学係数を取得する必要がある。
【００１０】
そこで、本発明は、被検体の光学係数に関する情報を取得することのできる光音響装置を提供することを目的とする。
【課題を解決するための手段】
【００１１】
本発明に係る光音響装置は、光が被検体に照射されることにより発生する光音響波を受信することにより得られた信号に基づいて被検体情報を取得する光音響装置であって、被検体の色に関する情報を取得する色情報取得手段と、被検体の色に関する情報に基づいて、被検体の色に対応する被検体の光学係数に関する情報を取得する係数情報取得手段と、信号と、光学係数に関する情報と、に基づいて被検体情報を取得する被検体情報取得手段と、を有する。
【発明の効果】
【００１２】
本発明の光音響装置によれば、被検体の光学係数に関する情報を取得することができる。
【図面の簡単な説明】
【００１３】
【図１】本実施形態に係る光音響装置の構成を示す模式図である。
【図２】本実施形態に係る被検体情報の取得フローの一例を示すフローチャートである。
【図３】本実施形態に係る被検体の色に関する情報の取得フローの一例を示すフローチャートである。
【図４】本実施形態に係る被検体の色に関する情報の取得フローの別の例を示すフローチャートである。
【図５】本実施形態で用いられるカラーチャートの一例である。
【発明を実施するための形態】
【００１４】
以下、本発明の実施の形態について、図面を用いて説明する。同一の構成要素には原則として同一の符号を付して、説明を省略する。
【００１５】
本明細書において、「光音響波」とは、光を吸収することにより発生する音響波であり、光超音波とも呼ばれる。
【００１６】
本発明において、「色に関する情報」とは、色を定量的に示す表色系で定義された各パラメータの値のことを指す。本発明においては、色を定量的に示すことのできる表色系であれば、どのような表色系を用いてもよい。例えば、ＲＧＢ表色系、ＸＹＺ表色系、ｘｙＹ表色系、Ｌ＊ｕ＊ｖ表色系、Ｌ＊ａ＊ｂ表色系、マンセル表色系などの表色系により定義されたパラメータを、「色に関する情報」としてもよい。例えば、マンセル表色系においては、色相、明度、彩度の各パラメータを「色に関する情報」としてもよい。また、「色に関する情報」は、色を表すパラメータの空間分布であってもよい。
【００１７】
本発明において、「光学係数に関する情報」とは、光吸収係数、光散乱係数、光減衰係数等の光学係数を含む概念である。被検体の光学係数は、被検体を均質な媒質と仮定したときの被検体の光吸収係数μａ、等価散乱係数μｓ’、および有効減衰係数μｅｆｆの少なくとも１つの代表値（例えば、平均値）であってもよい。すなわち、被検体の光学係数とは、被検体の各位置における光学係数が位置によらず一定としたときに得られる光学係数の代表値（例えば、平均値）であってもよい。また、光学係数の値の空間分布を表す分布情報を光学係数に関する情報としてもよい。
【００１８】
また、「光学係数に関する情報」とは、被検体の光学係数に基づいた光減衰率を含む概念である。光減衰率に被検体への入射光量を掛けると、被検体内での光量分布を導くことができる。また、「被検体の光学係数に関する情報」とは、被検体の光学係数に基づいた被検体内の光量を含む概念である。
【００１９】
本発明の一態様において取得される被検体情報（特性値情報）は、光エネルギーの吸収率を反映している。すなわち、被検体情報とは、光吸収係数μａから得られる情報である。具体的に、例えば、被検体情報としては、光吸収係数そのものや組織を構成する物質の濃度等が挙げられる。物質の濃度に関する情報とは、例えば、酸素飽和度、トータルヘモグロビン濃度、オキシヘモグロビンあるいはデオキシヘモグロビン濃度などである。また、グルコース濃度、コラーゲン濃度、メラニン濃度、脂肪や水の体積分率などでもよい。また、被検体情報は、２次元又は３次元の被検体情報の分布データであってもよい。また、被検体情報の分布データは、画像データとして生成され得る。
【００２０】
なお、物質の濃度については、異なる波長の光を用いた計測によって得られた光吸収係数から求めることができる。この場合、波長毎に被検体内の光吸収係数を求め、それらの値と求める物質固有の波長依存性とを用いて、物質の濃度を求めることができる。特に、オキシヘモグロビンＨｂＯとデオキシヘモグロビンＨｂとの濃度を基に、血液の酸素飽和度を得ることができる。２波長の光を用いた場合、酸素飽和度ＳＯ２は式（３）で求めることができる。
【００２１】
【数１】
0006664176.tif 000002
【００２２】
ここで、μａλ１は波長λ１における光吸収係数、μａλ２は波長λ２における光吸収係数を示す。また、εＨｂ０λ１は波長λ１におけるオキシヘモグロビンのモル吸光係数、εＨｂλ１は波長λ１におけるデオキシヘモグロビンのモル吸光係数を示す。εＨｂ０λ２は波長λ２におけるオキシヘモグロビンのモル吸光係数、εＨｂλ２は波長λ２におけるデオキシヘモグロビンのモル吸光係数を示す。εＨｂ０λ１、εＨｂλ１、εＨｂ０λ２、εＨｂλ２は既知の値である。ｒは位置座標を示す。
【００２３】
なお、以下の実施形態における光音響装置は、人や動物の血管疾患や悪性腫瘍などの診断や化学治療の経過観察などを主な目的とする。よって、被検体としては生体の一部、具体的には人や動物の皮膚や皮下部位および乳房などの検査対象が想定される。特に、皮膚表面から数ミリメートル以内の浅い部位、さらには真皮層内の血管等を計測対象とした際に好適に用いることができる。
【００２４】
本実施形態に係る光音響装置においては、式（１）に示したように光吸収係数に関する被検体情報を取得するために、光量分布を取得する必要がある。また、典型的に光量分布を取得するためには被検体の光学係数を取得する必要がある。
【００２５】
例えば、被検体が生体である場合、被検体表面（皮膚）における光学係数は、皮膚を構成するメラニン濃度やヘモグロビン濃度などの構成物質の濃度に依存する。また、これらの構成物質の濃度は、皮膚の色に影響を及ぼす。なお、その他の被検体においても、被検体を構成する物質の濃度が、被検体の色に影響を及ぼす。
【００２６】
そこで、本発明者は、これらの関係から、被検体の色から被検体の光学係数に関する情報を推定することができることを見出した。
【００２７】
以下、被検体の色に関する情報を取得し、被検体の色に関する情報に基づいて被検体の光学係数に関する情報を取得する光音響装置について説明する。本実施形態に係る光音響装置によれば、被検体の色に関する情報から、被検体の光学係数に関する情報を簡易に取得することができる。
【００２８】
［装置構成］
図１は本実施形態の光音響装置の構成を示す模式図である。本実施形態の光音響装置は、光源１００、変換素子２１０を含む探触子２００、撮像部３００、処理部４００、光学系５００、表示部９００、入力部１０００を備える。
【００２９】
光源１００からのパルス光７００は、光学系５００によりに導かれる。光学系５００から出射されたパルス光７００は被検体８００に照射され、被検体８００内の光吸収体８２０に到達する。光吸収体８２０としては、典型的には生体内における血管、特に血管内に存在するヘモグロビン等の物質、腫瘍などがある。光吸収体８２０は、光のエネルギーを吸収して、光音響波をそれぞれ発生する。発生した光音響波は、被検体内を伝搬し変換素子２１０に到達する。
【００３０】
変換素子２１０は、光音響波を受信することにより時系列の受信信号を出力する。処理部４００には、変換素子２１０から出力された受信信号が順次入力される。なお、本実施形態において、探触子２００の変換素子２１０（受信面）は、水槽６００内の音響整合材としての水６１０に浸かっている。これにより、被検体８００と変換素子２１０との音響整合が図られている。
【００３１】
処理部４００は、入力された時系列の受信信号を用いて、被検体情報を生成する。そして、処理部４００は、生成された被検体情報のデータを表示部９００に送信し、表示部９００に被検体情報の画像や数値を表示させる。すなわち、処理部４００は、被検体情報を生成するための情報処理を実行する。
【００３２】
以下、本実施形態に係る光音響装置の各構成ブロックについて説明する。
【００３３】
（光源１００）
光源１００は、ナノ秒からマイクロ秒オーダーのパルス光を発生可能なパルス光源が好ましい。具体的なパルス幅としては、１〜１００ナノ秒程度のパルス幅であることが好ましい。また、波長としては４００ｎｍから１６００ｎｍ程度の範囲の波長であることが好ましい。特に、生体表面近傍の血管を高解像度でイメージングする際は可視光領域の波長（４００ｎｍ以上、７００ｎｍ以下）の光であることが好ましい。一方、生体の深部をイメージングする際には、生体の背景組織において吸収が少ない波長（７００ｎｍ以上、１１００ｎｍ以下）の光を用いることが好ましい。ただし、テラヘルツ波、マイクロ波、ラジオ波領域の使用も可能である。
【００３４】
具体的な光源１００としては、レーザーが好ましい。また、複数波長の光を用いて測定する際には、発振する波長の変換が可能なレーザーがより好ましい。なお、複数波長を被検体８００に照射する場合、互いに異なる波長の光を発振する複数台のレーザーを、それぞれ発振切り替えを行いながら、もしくは交互に照射しながら用いることも可能である。複数台のレーザーを用いた場合もそれらをまとめて光源として表現する。
【００３５】
レーザーとしては、固体レーザー、ガスレーザー、色素レーザー、半導体レーザーなど様々なレーザーを使用することができる。特に、Ｎｄ：ＹＡＧレーザーやアレクサンドライトレーザーなどのパルスレーザーが好ましい。また、Ｎｄ：ＹＡＧレーザー光を励起光とするＴｉ：ｓａレーザーやＯＰＯ（Ｏｐｔｉｃａｌ  Ｐａｒａｍｅｔｒｉｃ  Ｏｓｃｉｌｌａｔｏｒｓ）レーザーを用いてもよい。また、レーザーの代わりに発光ダイオードなどを用いることも可能である。
【００３６】
（探触子２００）
探触子２００は、１つ以上の変換素子２１０と筺体とを備える。変換素子２１０は、チタン酸ジルコン酸鉛（ＰＺＴ）などの圧電現象を用いた圧電素子、光の共振を用いた変換素子、ＣＭＵＴ等の静電容量型の変換素子など、音響波を受信して電気信号に変換できるものであればどのような変換素子を用いてもよい。複数の変換素子２１０を備える場合は、１Ｄアレイ、１．５Ｄアレイ、１．７５Ｄアレイ、２Ｄアレイ、と呼ばれるような平面又は曲面内に並ぶように配置されることが好ましい。
【００３７】
また、広い範囲の被検体情報を取得するために、探触子２００は、走査機構（不図示）により、被検体８００に対して機械的に移動するよう構成されていることが好ましい。また、光学系５００（パルス光７００の照射位置）と探触子２００とは同期して移動することが好ましい。
【００３８】
また、ハンドヘルド型の探触子２００の場合は、ユーザーが探触子２００を把持する把持部を有する。また、光音響装置が光音響顕微鏡の場合は、探触子２００はフォーカス型探触子とすることが好ましい。すなわち、変換素子２１０の受信面には音響レンズが設けられていることが好ましい。光音響装置が光音響トモグラフィー装置である場合は、探触子２００には変換素子２１０は複数設けられていることが好ましい。
【００３９】
また、探触子２００内には、変換素子２１０から出力されるアナログ信号を増幅する増幅器を設けてもよい。
【００４０】
（撮像部３００）
撮像部３００は、被検体８００の表面（例えば、皮膚）の光学画像を撮像する。撮像部３００としては、ＣＣＤカメラやＣＭＯＳカメラなどの光学カメラを用いることができる。すなわち、撮像部３００は、被検体表面での反射光を検出するＣＣＤやＣＭＯＳなどの光検出部と、光検出部から出力された検出信号に基づいて光学画像を生成する画像生成部とから構成される。光検出部は、光を検出し、電気信号を出力することができる素子であればどのようなものでも採用することができる。画像形成部としては、例えば、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路を用いることができる。画像生成部は、１つのプロセッサや演算回路から構成されるだけでなく、複数のプロセッサや演算回路から構成されていてもよい。なお、画像生成部の行う機能を、処理部４００が兼ねていてもよい。
【００４１】
また、撮像部３００は、撮像毎の照明環境の差を小さくするために、光源を備えていてもよい。これにより、光検出器は、撮像部３００の備える光源から発せられた光の反射光を検出することができる。撮像部３００が備える光源としては、幅広い波長を含んだ白色光を発する光源であることが好ましい。例えば、撮像部３００が備える光源としては、白色光を発するＬＤ、ＬＥＤ、蛍光灯などを利用することができる。
【００４２】
（処理部４００）
次に、本実施形態の処理部４００内の構成を説明する。本実施形態の処理部４００は、信号収集部４１０、音圧情報取得部４２０、色情報取得部４３０、係数情報取得部４４０、被検体情報取得部４５０、記憶部４６０、および制御部４７０を備える。
【００４３】
信号収集部４１０は、変換素子２１０から出力される時系列のアナログ受信信号をチャネル毎に収集し、受信信号の増幅や、アナログの受信信号のＡＤ変換、デジタル化された受信信号の記憶等の信号処理を行う。信号収集部４１０としては、一般的にＤＡＳ（Ｄａｔａ  Ａｃｑｕｉｓｉｔｉｏｎ  Ｓｙｓｔｅｍ）と呼ばれる回路を用いることができる。具体的には、信号収集部４１０は、受信信号を増幅する増幅器、アナログの受信信号をデジタル化するＡＤ変換器から構成される。
【００４４】
音圧情報取得部４２０は、信号収集部４１０から出力される受信信号を用いて、被検体内の各位置での発生音圧情報を取得する。以下、被検体内の各位置の発生音圧情報のことを、被検体内の初期音圧分布とも呼ぶ。
【００４５】
色情報取得部４３０は、撮像部３００において撮像された被検体８００の表面の光学画像やユーザーにより指定された色などに基づいて、被検体８００の色に関する情報を取得する。
【００４６】
係数情報取得部４４０は、色情報取得部４３０により取得された被検体８００の色に関する情報に基づいて、被検体８００の光学係数に関する情報を取得する。
【００４７】
被検体情報取得部４５０は、音圧情報取得部４２０において求めた音圧分布データと、係数情報取得部４４０において求めた被検体の光学係数に関する情報から、吸収係数分布等の被検体情報を算出する。
【００４８】
音圧情報取得部４２０、色情報取得部４３０、係数情報取得部４４０、および被検体情報取得部４５０としては、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路を用いることができる。なお、１つのプロセッサや演算回路から構成されるだけでなく、複数のプロセッサや演算回路から構成されていてもよい。
【００４９】
記憶部４６０は、ＡＤ変換後の受信信号、各種分布データ、表示画像データ、各種測定パラメータ等を保存することができる。また、記憶部４６０は、後述する、色に関する情報と光学係数に関する情報との関係を示す関係テーブルまたは関係式を格納することができる。また、被検体情報取得方法で行われるそれぞれの処理を、処理部４００内の制御部に実行させるプログラムとして記憶部４６０に保存しておくことができる。なお、プログラムが保存される記憶部４６０は、非一時的な記録媒体である。記憶部４６０は、典型的にはＦＩＦＯメモリ、ＲＯＭ、ＲＡＭ、およびハードディスクなどの記憶媒体から構成される。なお、記憶部４６０は、１つの記憶媒体から構成されるだけでなく、複数の記憶媒体から構成されていてもよい。
【００５０】
また、処理部４００は、光音響装置の各構成ブロックの作動を制御するための制御部４７０を備える。制御部４７０は、バスを介して光音響装置の各構成ブロックに必要な制御信号やデータを供給する。具体的には、制御部４７０は、光源１００へ発光を指示する発光制御信号や探触子２００内の変換素子２１０の受信制御信号、および走査機構の制御信号などを供給する。制御部４７０には、典型的にＣＰＵが用いられる。
【００５１】
（光学系５００）
光学系５００は、光源１００から被検体８００まで光を伝達させる。光学系５００は、レンズ、ミラー、光ファイバ等の光学素子を用いることができる。また、乳房等を検査対象とする生体情報取得装置においては、光学系５００の光出射部はレンズ等によりビーム光の径を広げて照射することが好ましい。一方、光音響顕微鏡においては、解像度を上げるために、光学系５００の光出射部はレンズ等で構成し、ビーム光の径をフォーカスして照射することが好ましい。また、光学系５００を被検体８００に対して移動してもよく、これにより被検体８００の広い範囲のイメージングが可能になる。なお、光学系５００を用いずに、光源１００から直接被検体８００に光を照射することも可能である。
【００５２】
また、本実施形態においては、光学系５００として、アキシコンレンズ５１０、光学ミラー５２０を用いている。アキシコンレンズ５１０は、光源１００から発せられたパルス光７００を円環状に導光し、パルス光７００が探触子２００に照射されないように配置されている。また、光学ミラー５２０は、円環状のパルス光７００を被検体８００の対象位置に集光させるように配置されている。
【００５３】
（水槽６００）
水槽６００は、音響整合材としての水６１０を満たすことのできる器である。本実施形態において、探触子２００に備えられた変換素子２１０は水６１０に浸かっている。これにより、水を介して、被検体８００と変換素子２１０との音響整合をとることができる。また、点線で示した被検体８００との接触面６２０は、光音響波を通しやすいように、光音響波の波長よりも薄いフィルムで構成されていることが好ましい。より好ましくは、接触面６２０は、光音響波の波長の１／４の厚さであることが好ましい。また、音響整合材や接触面６２０は、パルス光７００を吸収しにくい材料で構成されることが好ましい。例えば、音響整合材の材料には水やアルコール等を採用することができ、接触面６２０の材料にはポリエチレン等を採用することができる。
【００５４】
（被検体８００）
被検体８００は本発明の光音響装置の一部を構成するものではないが、以下に説明する。本実施形態に係る光音響装置は、人や動物の悪性腫瘍や血管疾患などの診断や化学治療の経過観察などを主な目的とする。よって、被検体８００としては生体、具体的には人体や動物の乳房や頸部、腹部などの診断の対象部位が想定される。
【００５５】
また、被検体８００の内部にある光吸収体８２０としては、被検体８００の内部で相対的に光吸収係数が高いものが好ましい。例えば、人体が測定対象であればオキシヘモグロビンあるいはデオキシヘモグロビンやそれらを含む多く含む血管あるいは新生血管を多く含む悪性腫瘍が光吸収体８２０の対象となる。その他、頸動脈壁のプラークなどもその対象となる。
【００５６】
（表示部９００）
表示部である表示部９００は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）、有機ＥＬディスプレイ等のディスプレイを用いることができる。なお、表示部９００は、本実施形態の光音響装置が備える構成とはせずに、別に用意して光音響装置に接続してもよい。
【００５７】
（入力部１０００）
入力部１０００は、ユーザーが所望の情報を入力可能に構成された部材である。ユーザーにより入力された情報は、入力部１０００から処理部４００に送信される。入力部１０００としては、キーボード、マウス、タッチパネル、ダイヤル、およびボタンなどを用いることができる。入力部１０００としてタッチパネルを採用する場合、表示部９００が入力部１０００を兼ねるタッチパネルであってもよい。なお、入力部１０００は、本発明の光音響装置とは別に提供されていてもよい。
【００５８】
［被検体情報取得方法］
次に、本実施形態に係る光音響装置が被検体情報を取得するフローを、図２を用いて説明する。制御部４７０が、記憶部４６０に保存された、被検体情報取得方法が記述されたプログラムを読み出し、光音響装置に以下の被検体情報取得方法を実行させている。
【００５９】
（Ｓ１１０：光音響波の受信信号を取得するステップ）
本ステップでは、光源１００で発生させた光は、光学系５００を介してパルス光７００として被検体８００に照射される。そして、被検体８００でパルス光７００が吸収され、光音響効果により光音響波が生じる。変換素子２１０が光音響波を受信して、時系列のアナログ受信信号を出力する。信号収集部４１０は、変換素子２１０から出力された時系列のアナログ受信信号をチャネル毎に収集し、受信信号の増幅処理や、アナログの受信信号のＡＤ変換処理を行う。そして、信号収集部４１０は、デジタル化された受信信号を記憶部４６０に保存する。記憶部４６０に保存された時系列の受信信号データを、光音響データとも呼ぶ。本発明において、受信信号とは、アナログ信号もデジタル信号も含む概念である。
【００６０】
（Ｓ１２０：受信信号に基づいて被検体内の初期音圧分布を取得するステップ）
本ステップでは、音圧情報取得部４２０は、信号収集部４１０から出力された受信信号に基づいて、被検体内の各位置での光音響波の発生音圧情報を取得する。すなわち、音圧情報取得部４２０は、被検体８００内の初期音圧分布を取得する。
【００６１】
なお、光音響装置が光音響トモグラフィー装置の場合、音圧情報取得部４２０は、チャネル毎の得られた受信信号を用いて画像再構成を行うことにより、２次元又は３次元の空間座標上の位置に対応する発生音圧のデータを求めることができる。音圧情報取得部４２０は、画像再構成手法として、特許第５７１３３５６号公報に記載されているＵｎｉｖｅｒｓａｌ  Ｂａｃｋ  Ｐｒｏｊｅｃｔｉｏｎ（ＵＢＰ）や、Ｆｉｌｔｅｒｅｄ  Ｂａｃｋ  Ｐｒｏｊｅｃｔｉｏｎ（ＦＢＰ）等の公知の再構成手法を用いることができる。また、音圧情報取得部４２０は、画像再構成手法として、整相加算（Ｄｅｌａｙ  ａｎｄ  Ｓｕｍ）処理を用いてもよい。
【００６２】
また、音圧情報取得部４２０は、得られた受信信号を時間変化に対して包絡線検波した後、光パルス毎の信号における時間軸方向を奥行き方向に変換して、空間座標上にプロットしてもよい。音圧情報取得部４２０は、これを走査位置毎に行うことにより、音圧分布データを取得する。特に光音響装置が光音響顕微鏡である場合に、本手法を用いることが好ましい。
【００６３】
（Ｓ２１０：被検体の色に関する情報を取得するステップ）
本ステップでは、色情報取得部４３０が、被検体８００の色に関する情報を取得し、記憶部４６０に保存する。以下、本ステップの具体的なフローの一例を、図３、図４を用いて説明する。
【００６４】
まず、色情報取得部４３０が光学画像から被検体８００の色に関する情報を取得するフローの例を、図３を用いて説明する。
【００６５】
（Ｓ２１１：光学画像を取得するステップ）
撮像部３００は、被検体８００の表面の光学画像を取得する。取得された被検体８００表面の光学画像のデータは記憶部４６０に保存される。
【００６６】
（Ｓ２１２：光学画像に基づいて色に関する情報を取得するステップ）
色情報取得部４３０は、Ｓ２１１において取得された被検体８００の光学画像を解析し、被検体８００の色に関する情報を取得する。
【００６７】
例えば、色情報取得部４３０は、光学画像のある１ピクセルにおける色に関する情報を、被検体８００の各位置の色に関する情報として取得することができる。例えば、光学画像の中心点の１ピクセルの情報を基に、被検体８００の各位置の色に関する情報を取得してもよい。
【００６８】
また、色情報取得部４３０は、光学画像内の複数のピクセルにおける色に関する情報の平均値を、被検体８００の各位置における色に関する情報として取得してもよい。
【００６９】
また、色情報取得部４３０は、光学画像内の色に関する情報のデータ群から最頻値の色に関する情報を、被検体８００の各位置における色に関する情報として取得してもよい。
【００７０】
また、色情報取得部４３０が光学画像を表示部９００に表示させ、ユーザーが入力部１０００を用いて光学画像上の任意の座標を入力してもよい。そして、色情報取得部４３０は、入力部１０００から出力された座標に対応する色に関する情報を、被検体８００の色に関する情報として取得することができる。例えば、ユーザーが入力部１０００により表示部９００上のアイコンを操作し、表示部９００に表示された光学画像から任意の座標を指定することなどができる。ユーザーが入力部１０００を用いて光学画像上の任意の領域を入力し、入力された領域の座標が出力されてもよい。この場合、入力部１０００により入力可能な任意の領域は、光学画像の座標に関する情報である。
【００７１】
次に、ユーザーが入力部１０００を用いて被検体８００の色に関する情報を入力するフローの例を、図４を用いて説明する。
【００７２】
（Ｓ２１３：複数の色を表示するステップ）
色情報取得部４３０は、記憶部４６０に格納された複数の色のデータを表示部９００に送信し、表示部９００に複数の色を表示させる。表示部９００は、複数の色を並列表示してもよいし、複数の色を切り替えて順次表示させてもよい。例えば、図５に示すように、色情報取得部４３０が、記憶部４６０に格納されたカラーチャート９１０のデータを表示部９００に表示させる。
【００７３】
（Ｓ２１４：複数の色から任意の色を選択するステップ）
ユーザーは入力部１０００を用いて任意の色を選択する。例えば、図５に示すように、ユーザーは入力部１０００により表示部９００に表示された矢印アイコン９２０を操作して、カラーチャート９１０の中から所望の色に対応するカラーアイコン９３０を選択して、任意の色を選択している。図５においては、カラーチャート９１０を構成する複数のカラーアイコンのうち、選択されたカラーアイコン９３０を点線で囲って示した。
【００７４】
なお、ユーザーが表示部９００とは別に用意されたカラーチャートから任意の色を選び、入力部１０００はその色を入力できるように構成されていてもよい。この場合、Ｓ２１３の工程を行わずに、Ｓ２１４の工程を実行することができる。本工程では、ユーザーが入力部１０００を用いて被検体の色を入力できる限り、いかなる方法を採用することもできる。すなわち、入力部１０００は、ユーザーが任意の色を選択可能に構成されていればよい。
【００７５】
なお、入力部１０００は、色に関する情報を直接入力ができるように構成されていてもよい。例えば、ユーザーは、ＲＧＢ表色系で定義された色に関する情報としてＲＧＢのそれぞれの値を、入力部１０００を用いて入力することができる。
【００７６】
色情報取得部４３０は、ユーザーによって選択され、入力部１０００から出力された色に関する情報を取得し、被検体８００の色に関する情報として記憶部４６０に保存する。
【００７７】
このように、ユーザーが被検体の色を直観的に入力して、色情報取得部４３０がそれに対応する被検体の光学係数に関する情報を取得することにより、色に関する情報を簡易に取得することができる。
【００７８】
なお、Ｓ２１０のステップでは、図３、図４に示す例の他に、特開２００３−３１５１５４号公報に記載されたような色彩計測装置を用いて、色に関する情報を計測してもよい。
【００７９】
（Ｓ２２０：被検体の色に関する情報に基づいて被検体の光学係数に関する情報を取得するステップ）
本ステップでは、係数情報取得部４４０が、Ｓ２１０のステップで得られた被検体８００の色に関する情報に基づいて、被検体８００の光学係数に関する情報を取得する。さらに、本ステップでは、係数情報取得部４４０が、事前に作成された、色に関する情報と光学係数に関する情報との関係を示す関係テーブルまたは関係式に基づいて、被検体８００の光学係数に関する情報を取得する。
【００８０】
例えば、係数情報取得部４４０は、Ｓ２１０で得られた被検体８００の色に関する情報に対応する被検体８００の光学係数に関する情報を、記憶部４６０に保存された関係テーブルから読み出すことができる。
【００８１】
なお、テーブルには離散的な値が格納されているため、Ｓ２１０において取得された色に関する情報とテーブルに格納された値とが一致しない場合がある。この場合は、係数情報取得部４４０が、Ｓ２１０において取得された色に関する情報に最も近いパラメータ値に対応する被検体８００の光学係数に関する情報を、テーブルから読み出すことができる。または、係数情報取得部４４０が、テーブルの値を補間して被検体８００の光学係数に関する情報を算出することもできる。
【００８２】
あるいは、係数情報取得部４４０は、Ｓ２１０で得られた被検体８００の色に関する情報を用いて、記憶部４６０に格納された関係式を解くことにより、被検体８００の光学係数に関する情報を取得することができる。
【００８３】
次に、Ｓ２２０で使用する関係テーブルまたは関係式の作成方法の一例を説明する。ここでは、表皮とそれより深部の組織とからなる生体を被検体８００としたときの例を説明する。
【００８４】
Ｓ２２０で使用する関係テーブルまたは関係式の作成には、被検体８００の表皮を模擬したファントムを用いることができる。また、様々な色素を、様々な濃度および割合で含んだ材料を用いて、被検体８００の表皮を模擬した複数のファントムを作製する。生体の表皮の厚さは２００μｍ程度であるので、ファントムの厚みは例えば２００μｍとする。
【００８５】
続いて、添加された色素の種類や濃度の異なる複数のファントムの色に関する情報を、Ｓ２１０で説明した方法により計測する。なお、ファントムが薄いためにファントムの色と被検体の表面の色とが異なる場合は、表皮を模擬したファントムと表皮よりも深部の組織を模擬したファントムとの積層構造を作製してもよい。そして、この積層構造の表面の色に関する情報をＳ２１０で説明した方法で取得し、表皮を模擬したファントムの色に関する情報として取得してもよい。
【００８６】
また、表皮を模擬した複数のファントムの光学係数に関する情報を取得する。例えば、ファントムに光を照射し、ファントムを透過した光の強度をフォトディテクタ等の光検出器で検出する。そして、光検出器からの検出信号とファントムに照射した光の入射強度に基づいて、表皮を模擬した各ファントムに対応する光減衰率、光吸収係数を光学係数に関する情報として求めることができる。そして、処理部４００が、複数のファントムの色に関する情報と、複数のファントムの光学係数に関する情報とを対応付けて、関係テーブルまたは関係式を作成し、記憶部４６０に格納してもよい。
【００８７】
なお、平均自由行程（生体の場合、３００μｍから１０００μｍ程度）より小さい厚みである被検体８００の表面付近では、光の散乱の影響は無視することができる。そのため、生体の表皮を測定対象とする場合、光減衰率は、表皮の光吸収係数μａｓｕｒに基づいた式（４）で表わすことができる。
被検体表面（表皮）での光減衰率＝ｅｘｐ（−μａｓｕｒ・ｄ）  ・・・（４）
また、光検出器からの検出信号とファントムに照射した光の入射強度に基づいて、式（４）に従って、表皮を模擬したファントム内の光量分布を求めることもできる。
【００８８】
なお、表皮を模擬したファントムの光学係数に関する情報を取得できる限り、上記方法に限らず、いかなる方法を採用してもよい。そして得られた表皮を模擬した各ファントムの色に関する情報と光学係数に関する情報とを対応させることで関係テーブルを作成し、記憶部４６０に格納する。あるいは、表皮を模擬した各ファントムの色に関する情報と光学係数に関する情報との関係から関係式を作成し、記憶部４６０に格納する。上記例では、被検体８００の表皮部分の光学係数に関する情報と、被検体８００の色に関する情報との関係テーブルまたは関係式を作成することができる。
【００８９】
なお、上記例では、表皮とそれより深部の組織とから構成される２層構造を被検体８００として考えたが、光学特性が一定の媒体を被検体８００とすることもできる。この場合、光学特性が一定の複数のファントムを作製する。そして、これらのファントムに対して既存の光学係数計測法を行うことにより、それぞれのファントムの光学係数を取得する。例えば、ファントムの厚みが平均自由行程よりも大きい場合、時間分解分光法（Ｔｉｍｅ  Ｒｅｓｏｌｖｅｄ  Ｓｐｅｃｔｒｏｓｃｏｐｙ）により、光学係数としてファントムの平均的な光吸収係数および等価散乱係数を取得することができる。また、光学特性が一定のファントムを光学セルに格納し、照射した光の透過光および反射光の強度を検出する。そして、透過光および反射光の強度と入射光の強度とに基づいて、モンテカルロ法などを用いてファントムの平均的な光吸収係数および等価散乱係数を取得することができる。さらに、光学特性が一定のファントムをキュベットに格納し、キュベットに照射した光の透過光の強度を検出し、透過光の強度と入射光の強度とに基づいて、式（５）に従って、各ファントムに対応する光減衰率、各ファントムの有効減衰係数を取得してもよい。
被検体内での光減衰率＝ｅｘｐ（−μｅｆｆ・ｄ）  ・・・（５）
ここで、μｅｆｆは被検体の有効減衰係数であり、ｄは注目領域の深さである。また、透過光の強度と入射光の強度とに基づいて、式（２）に従って、ファントム内の光量分布を取得してもよい。
【００９０】
また、光学係数としてファントムの光吸収係数および等価散乱係数を取得した場合、非特許文献１に記載されたような光輸送方程式や光拡散方程式などを数値計算手法により解くことにより、ファントム内の光量分布を求めることができる。数値計算手法として、有限要素法やモンテカルロ法などが考えられる。
【００９１】
なお、ファントムを用いずに、切除した皮膚などを用いて関係テーブルまたは関係式を作成することも可能である。以上の方法は、テーブル作成の一例であり、作成手法はこれらに限られるものではない。
【００９２】
なお、Ｓ１１０〜Ｓ１２０のステップの後にＳ２１０〜Ｓ２２０のステップを行ってもよいし、Ｓ２１０〜Ｓ２２０のステップの後にＳ１１０〜Ｓ１２０のステップを行ってもよい。また、Ｓ１１０〜Ｓ１２０のステップとＳ２１０〜Ｓ２２０のステップは、少なくとも一つのステップが並行して行われてもよい。
【００９３】
（Ｓ３１０：被検体の光学係数に関する情報および初期音圧分布に基づいて、被検体情報を取得する）
本ステップでは、被検体情報取得部４５０は、Ｓ１２０で取得した被検体８００内の初期音圧分布およびＳ２２０で取得した被検体８００の光学係数に関する情報に基づいて、被検体情報を取得する。以下、被検体情報として被検体８００内の光吸収係数分布を取得する場合の例を説明する。以下の例では、被検体８００が、光学特性が一定の媒体からなる場合、この媒体の任意の領域の光吸収係数分布を被検体８００内の光吸収係数分布として取得することができる。また、以下の例では、被検体８００が表皮とそれより深部の組織とからなる生体である場合、典型的には皮膚部分の光吸収係数分布を被検体８００内の光吸収係数分布として取得することとなる。
【００９４】
まず、被検体８００の光学係数に関する情報が、被検体８００内でのパルス光７００の光量分布である場合に被検体８００内の光吸収係数分布を求める例を説明する。この場合、被検体情報取得部４５０は、Ｓ１２０で取得した初期音圧分布Ｐ０と、記憶部４６０に格納された被検体８００の色に関する情報に対応する光量分布Φと、を用いて式（６）を解くことにより光吸収係数分布μａを取得する。
【００９５】
【数２】
0006664176.tif 000003
【００９６】
次に、被検体８００の光学係数に関する情報が、被検体８００内での光の減衰率である場合に光吸収係数分布を求める例を説明する。前述したように、光の減衰率は、被検体への入射光量を掛けると、被検体内での光量分布を導くことができるパラメータである。そこで、この場合、被検体情報取得部４５０は、被検体８００への入射光量に、記憶部４６０に格納された被検体８００の色に関する情報に対応する光減衰率を掛けることにより、被検体８００内の光量分布Φを取得する。そして、被検体情報取得部４５０は、得られた光量分布Φを用いて式（６）を解くことにより、光吸収係数分布を取得する。
【００９７】
被検体８００への入射光量については、被検体情報取得部４５０が光源１００の出力の設定値を読み出すことや、フォトダイオード等の光検出器がパルス光７００の強度を検出することにより、把握することができる。
【００９８】
次に、被検体８００の光学係数に関する情報が、被検体８００の光学係数そのものである場合に光吸収係数分布を求める例を説明する。この場合、例えば、被検体情報取得部４５０は、光学係数に関する情報として取得された被検体８００の有効減衰係数を用いて、式（２）を解くことにより光量分布Φを取得することができる。また、被検体情報取得部４５０は、光学係数に関する情報として取得された被検体８００の光吸収係数μａａｖｅおよび等価散乱係数μｓ’を用いて、非特許文献１に記載されたような方法により、光量分布Φを取得することができる。そして、被検体情報取得部４５０は、得られた光量分布Φを用いて式（６）を解くことにより、光吸収係数分布を取得する。
【００９９】
なお、被検体８００が表皮とそれより深部の組織とからなる生体であり、光吸収係数を求めたい領域が表皮よりも深部の組織である場合について説明する。この場合、被検体８００の色に関する情報に対応する光学係数に関する情報は、典型的には被検体８００の表皮における光学係数に関する情報と考えてもよい。そこで、被検体情報取得部４５０は、被検体８００の色に関する情報に対応する光学係数に関する情報から、被検体８００の表皮を透過した光の強度、すなわち表皮よりも深部の組織への入射光の強度を求めてもよい。例えば、係数情報取得部４４０が被検体８００の色に関する情報に対応する光学係数に関する情報として表皮での光減衰率を取得した場合を考える。この場合、被検体情報取得部４５０は、表皮の光減衰率と表皮への入射光の強度情報を用いて、式（５）にしたがって深部の組織への入射光の強度を取得する。そして、この入射光の強度を初期条件として式（２）や、光輸送方程式または光拡散方程式などの伝搬式を解くことにより、深部の組織内の光量分布を取得する。このとき計算に用いる深部組織の光学係数は公知の手法により求めることができる。そして、得られた光量分布を用いて式（６）を解くことにより、深部の組織内の光吸収係数分布を取得することができる。これにより、表皮の光学特性が深部組織の光量分布に与える影響を、取得される光量分布へ簡易に反映させることができる。
【０１００】
すなわち、被検体情報取得部４５０は、被検体表面から所定の深さ以下の領域については、被検体８００の色に関する情報に対応する光学係数に関する情報を用いて光量分布を算出してもよい。一方、被検体情報取得部４５０は、被検体表面から所定の深さよりも深い領域については、被検体８００の色に関する情報に対応する光学係数に関する情報を用いて算出された光量分布を用いて、光量分布を算出してもよい。なお、所定の深さは、平均自由行程程度に相当する１０００μｍ以下としてもよい。また、所定の深さは、平均自由行程程度に相当する３００μｍ以下としてもよい。また、所定の深さは、表皮の厚さ程度に相当する２００μｍ以下としてもよい。
【０１０１】
また、本実施形態では、被検体情報として光吸収係数分布を取得する例を説明したが、被検体情報はこれに限らない。複数の波長の光のそれぞれで上記工程を行って各波長に対する光吸収係数分布を取得し、これらの分布に基づいて酸素飽和度等の分光情報を被検体情報として取得してもよい。分光情報を取得する際に、光吸収係数分布を介さずに、各波長に対する初期音圧分布及び光量分布から分光情報を取得してもよい。例えば、測定波長の波長数が２波長の場合、被検体情報取得部４５０は、式（３）により酸素飽和度を算出することができる。また、測定波長の波長数が３波長以上の場合、被検体情報取得部４５０は、各測定波長の光吸収係数分布を、オキシヘモグロビンとデオキシへもグロビンの吸光度スペクトル用いてフィッティングすることで、酸素飽和度を算出することができる。
【０１０２】
（Ｓ４１０：被検体情報を表示する）
被検体情報取得部４５０は、Ｓ３１０において求めた被検体情報のデータを表示部９００に送信し、被検体情報の画像を表示部９００に表示する。なお、表示部９００は、被検体情報の画像に限らず、被検体情報の数値などの被検体情報に関する情報を表示することができる。
【０１０３】
以上説明したように、本実施形態に係る光音響装置によれば、被検体の色に関する情報に基づいて、被検体の光学係数に関する情報を簡易に推定することができる。これにより、被検体の光学係数に関する情報を用いて得られる被検体情報についても、簡易に取得することができる。
【０１０４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０５】
１００  光源
２００  探触子
４００  処理部
【図１】
0006664176.tif 000004
【図２】
0006664176.tif 000005
【図３】
0006664176.tif 000006
【図４】
0006664176.tif 000007
【図５】
0006664176.tif 000008